(57)【要約】【課題】受診者がいる検診場所に応じた申し送り事項を表示する。【解決手段】申し送り取得手段２２は、申し送り事項記憶手段２１から、受診者毎の申し送り事項に関するデータを取得する。受診者位置取得手段２３は、受診者の位置情報を取得する。優先度判定手段２５は、受診者位置取得手段２３から供給された受診者の位置情報に基づいて、優先度記憶手段２４に記憶されている申し送り事項の優先度に関する優先度データを取得する。優先度判定手段２５は、申し送り取得手段２２から供給された申し送り事項に関するデータおよび優先度記憶手段２４から取得した優先度に関する優先度データに基づいて、申し送り事項を優先度の高い順に並べ替える。申し送り表示手段３０は、優先度判定手段２５で優先度の高い順に並べ替えられた申し送り事項を、画面に表示させる。【選択図】図２
2010061270.tif 000002
【特許請求の範囲】
【請求項１】
健康診断を受ける受診者毎に申し送り事項に関するデータを記憶する申し送り事項記憶手段と、
前記検診場所に対応して付加される、申し送り事項の優先度に関するデータを記憶する優先度記憶手段と、
前記検診対象者の位置情報を取得する受診者位置取得手段と、
前記受診者位置取得手段により取得された前記検診対象者の位置情報、前記申し送り事項記憶手段に記憶されている前記申し送り事項に関するデータ、および前記優先度記憶手段に記憶されている前記申し送り事項の優先度に関するデータに基づいて、前記申し送り事項の優先度を判定する優先度判定手段と、
前記優先度判定手段による判定結果に基づいて、前記申し送り事項を表示する申し送り表示手段と
を備えることを特徴とする検診支援装置。
【請求項２】
前記申し送り表示手段による表示から、前記申し送り事項が確認されたことを示す内容の入力を受け付ける申し送り確認受付手段と、
前記申し送り確認受付手段による受付結果に基づいて、画面操作を制御する画面操作制御手段と
をさらに備えることを特徴とする請求項１に記載の検診支援装置。
【請求項３】
操作者の資格に関するデータを記憶する操作者資格記憶手段をさらに備え、
前記申し送り表示手段は、前記操作者資格記憶手段に記憶されている前記操作者の資格に関するデータに基づいて、前記申し送り事項を表示する
ことを特徴とする請求項１または請求項２に記載の検診支援装置。
【請求項４】
前記申し送り事項に付加するステータス機能に関するデータを記憶するステータス記憶手段をさらに備え、
前記申し送り表示手段は、前記ステータス記憶手段に記憶されている前記ステータス機能に関するデータに基づいて、ステータス機能を付加した前記申し送り事項を表示する
ことを特徴とする請求項１乃至３いずれかに記載の検診支援装置。
【請求項５】
健康診断を受ける受診者毎に申し送り事項に関するデータを記憶する申し送り事項記憶ステップと、
前記検診場所に対応して付加される、申し送り事項の優先度に関するデータを記憶する優先度記憶ステップと、
前記検診対象者の位置情報を取得する受診者位置取得ステップと、
前記受診者位置取得ステップにより取得された前記検診対象者の位置情報、前記申し送り事項記憶ステップで記憶された前記申し送り事項に関するデータ、および前記優先度記憶ステップで記憶された前記申し送り事項の優先度に関するデータに基づいて、前記申し送り事項の優先度を判定する優先度判定ステップと、
前記優先度判定ステップによる判定結果に基づいて、前記申し送り事項を表示する申し送り表示ステップと
を検診支援装置が備えるコンピュータに実行させることを特徴とする制御プログラム。
【発明の詳細な説明】
【技術分野】
【０００１】
本発明は、検診支援装置およびその制御プログラムに関し、特に、健康診断を受ける受診者に関する申し送り事項を、検診場所に応じて表示することができる検診支援装置およびその制御プログラムに関する。
【背景技術】
【０００２】
従来、健康診断において、病院の受付などで申し送られる受診者に関する申し送り事項は、健康診断を受ける受診者から聞いた情報に基づいて、受診者に代わって受付者が所定の紙に必要事項を記入するか、あるいは、受診者が記入した問診票に基づいて、受付者がシステム上に必要事項を入力することにより行われている。
【０００３】
申し送りとは、例えば、受診者の身体の状態や最近の受診履歴、および注意事項（例えば車椅子が必要）などを次の検診を行う医師や技師などに伝達するための情報である。この申し送りにより、受診者が健康診断を受診するに当たっての極めて重要な情報を引き継ぐことができる。
【０００４】
申し送り事項に関する技術は様々提案されており、例えば、特許文献１には、システム上の画面で申し送り事項を工夫して表示する技術が提案されている。
【０００５】
また例えば、特許文献２には、紹介元の医療機関が患者に他の医療機関紹介する場合において、紹介元から紹介先への好適な申し送り情報を自動生成する技術が提案されている。
【特許文献１】特開２００２−３５８３７２号公報
【特許文献２】特開２００７−２４１５５９号公報
【発明の開示】
【発明が解決しようとする課題】
【０００６】
ところで、申し送り事項を伝達する場合、聞き逃し、聞き間違い、転記ミス、および入力ミスが起こる恐れがある。また、受診者は健康診断を行う際、１日に多くの受診科を回るため、画面に表示させる検診項目などの情報が多くなる。さらに、申し送り事項も多いと一覧性が悪くなる課題があった。
【０００７】
一般に、健康診断を受ける受診者は、検診内容に応じて検診場所を移動していく。看護師や医師は、申し送り事項を基に必要なものを準備するが、申し送り事項の重要度は検診場所によって異なるため、複数の申し送り事項があるような場合、その検診場所で最も重要な申し送り事項を見落としてしまう恐れがある。
【０００８】
そこで、看護師や医師は、検診を行う際、その検診場所で最も重要な申し送り事項を見落とさずに対処できることが期待される。
【０００９】
しかしながら、上述した特許文献１や特許文献２で提案されている発明では、受診者の申し送り事項を、検診場所に応じて表示させることができない課題があった。
【００１０】
本発明はこのような状況に鑑みてなされたものであり、その目的は、健康診断を受ける受診者の申し送り事項を、検診場所に応じて表示することができる検診支援装置およびその制御プログラムを提供することである。
【課題を解決するための手段】
【００１１】
請求項１記載の本発明に係る第１の特徴は、健康診断を受ける受診者毎に申し送り事項に関するデータを記憶する申し送り事項記憶手段と、検診場所に対応して付加される、申し送り事項の優先度に関するデータを記憶する優先度記憶手段と、検診対象者の位置情報を取得する受診者位置取得手段と、受診者位置取得手段により取得された検診対象者の位置情報、申し送り事項記憶手段に記憶されている申し送り事項に関するデータ、および優先度記憶手段に記憶されている申し送り事項の優先度に関するデータに基づいて、申し送り事項の優先度を判定する優先度判定手段と、優先度判定手段による判定結果に基づいて、申し送り事項を表示する申し送り表示手段とを備える。
【００１２】
請求項５記載の本発明に係る第２の特徴は、健康診断を受ける受診者毎に申し送り事項に関するデータを記憶する申し送り事項記憶ステップと、検診場所に対応して付加される、申し送り事項の優先度に関するデータを記憶する優先度記憶ステップと、検診対象者の位置情報を取得する受診者位置取得ステップと、受診者位置取得ステップにより取得された検診対象者の位置情報、申し送り事項記憶ステップで記憶された申し送り事項に関するデータ、および優先度記憶ステップで記憶された申し送り事項の優先度に関するデータに基づいて、申し送り事項の優先度を判定する優先度判定ステップと、優先度判定ステップによる判定結果に基づいて、申し送り事項を表示する申し送り表示ステップとを検診支援装置が備えるコンピュータに実行させることを特徴とする。
【発明の効果】
【００１３】
本発明によれば、健康診断を受ける受診者の申し送り事項を、検診場所に応じて表示することが可能となる。
【発明を実施するための最良の形態】
【００１４】
以下、本発明の実施の形態について図面を参照して詳細に説明する。
【００１５】
図１は、本発明に係る検診支援装置１の構成例を示す図である。この検診支援装置１は、CPU(Central Processing Unit)２、ROM（Read Only Memory）３、RAM（Random Access Memory）４、および入出力インターフェイス５が、バス６を介して接続されている。入出力インターフェイス５には、記憶部７、通信部８、表示部９、入力部１０、およびリムーバブルディスク１１が接続されている。
【００１６】
CPU２は、入力部１０からの入力信号に基づいて検診支援装置１を起動するためのブートプログラムをROM３から読み出して実行し、記憶部７に格納されている各種オペレーティングシステムを読み出す。
【００１７】
またCPU２は、入力部１０からの入力信号に基づいて各種の制御を行ったり、ROM３や記憶部７に記憶されたプログラムおよびデータを読み出してRAM４にロードしたり、あるいはRAM４から読み出されたプログラムのコマンドに基づいて、データ演算または加工などの一連の処理を実行する。
【００１８】
記憶部７は、半導体メモリや磁気ディスクなどで構成されており、CPU２で実行されるプログラムやデータを記憶する。記憶部７には、CPU２が実行するプログラムとして、例えば、検診で用いられる申し送り事項の確認などを行うためのGUI（Graphical User Interface）を表示部９に表示させるためのアプリケーションが用意される。以下、検診で用いられる申し送り事項の確認などを行うためのGUIを表示させるこのアプリケーションを申し送り事項表示アプリケーションという。
【００１９】
また記憶部７には、予め入力された受診者の申し送り事項、検診場所に応じて予め設定された申し送り事項に付加する優先度、申し送り事項にステータス機能を付加するか否かを判定するためのステータス判定値などを記憶するデータベースが用意される。
【００２０】
通信部８は、LAN（Local Area Network）カードやモデムなどで構成されており、検診支援装置１をローカルエリアネットワークやインターネットといった通信媒体に接続することを可能にする。すなわち通信部８は、通信媒体から受信したデータを、入出力インターフェイス５およびバス６を介してCPU２に送信し、CPU２からバス６および入出力インターフェイス５を介して受信したデータを、通信媒体に送信する。
【００２１】
表示部９は、例えば液晶ディスプレイであり、CPU２からバス６および入出力インターフェイス５を介して受信した信号に基づいて、CPU２の処理結果などを表示する。
【００２２】
入力部１０は、検診支援装置１の操作者が各種の操作を入力するキーボードやマウスなどの入力デバイスにより構成されており、操作者の操作に基づいて入力信号を生成し、入出力インターフェイス５およびバス６を介してCPU２に送信する。
【００２３】
リムーバブルディスク１１は、例えば光ディスクやフレキシブルディスクなどであり、図示せぬディスクドライブによって読み出されたデータが、入出力インターフェイス５およびバス６を介してCPU２に送信され、CPU２からバス６および入出力インターフェイス５を介して受信したデータが、ディスクドライブによって書き込まれる。
【００２４】
図１に示すような構成を有する検診支援装置１のCPU２は、受診者の位置情報を取得するとともに、記憶部７から、申し送り事項および検診場所に応じた申し送り事項に付加する優先度を取得し、申し送り事項の優先度を判定する。ここで、受診者の位置情報とは、受診者が受診している検診場所を表し、例えば、システム上で入力される検診場所を特定するための情報、または、検診が行われている場所に設置されている端末の設置位置情報（ＩＰアドレスなど）から決定される。CPU２は、申し送り事項が重要であると判定した場合、検診画面の操作の続行を制御する。
【００２５】
例えば、体の不自由な受診者が採血室で血液検査を行うときに使用する車椅子を申し送りしたとする。検診支援装置１のCPU２は、この受診者が採血室にいた場合に、車椅子が最も重要な申し送り事項と判定する。そして、画面上に、車椅子が最も重要な申し送り事項であることを表すアイコンを表示させるとともに、このアイコンにステータス機能を付加する。医師や看護師が、画面上に表示されている申し送り事項を確認し、ステータスにチェックを入れた場合、CPU２は、次の検診画面に表示を切り替えることができるように制御する。一方、ステータスにチェックが入れられていない場合、CPU２は、次の検診画面に表示を切り替えることができないように制御する。
【００２６】
このようにして、健康診断を受ける受診者の申し送り事項を、検診場所に応じて表示することができるとともに、申し送り事項の確認が行われているか否かによって、次の検診画面の操作の続行を制御することができる。
【００２７】
図２は、検診支援装置１の機能構成例を示すブロック図である。図２に示す機能部のうちの少なくとも一部は、図１のCPU２により申し送り事項表示アプリケーションが実行されることによって実現される。
【００２８】
申し送り事項記憶手段２１には、受診者により予め入力された、申し送り事項に関するデータが記憶されている。すなわち、受診者は、健康診断を受ける際に、受診者に関する情報、検診項目、および申し送り事項などの情報を、入力部１０を用いて事前に登録しており、この事前に登録された各種情報が、検診対象者毎に記憶される。
【００２９】
図３は、申し送り事項記憶手段２１に記憶されるデータのデータ構造例を示している。図３の例の場合、申し送り事項記憶手段２１には、受診者データ２１ａ、検診データ２１ｂ、および申し送り事項データ２１ｃが記憶されている。
【００３０】
受診者データ２１ａのテーブルには、受診者に関する項目である、性別、年齢、名前、および受診者のＩＤの値を格納する領域が設けられている。検診データ２１ｂのテーブルには、検診項目が示す検診が行われる検診場所の内容を表すデータを格納する領域が設けられている。申し送り事項データ２１ｃのテーブルには、受診者のＩＤに対応する申し送り事項の内容を表すデータを格納する領域が設けられている。
【００３１】
受診者データ２１ａと申し送り事項データ２１ｃのＩＤの格納領域には、受診者の属性情報（例えば、検診の受付が行われたときの登録番号）が登録される。申し送り事項データ２１ｃの申し送り事項の格納領域には、「車椅子」、「寝台」、「ステント」といった文字列が登録されるか、あるいは、申し送り事項識別記号が登録される。申し送り事項識別記号とは、例えば、１（車椅子）、２（寝台）、３（ステント）などである。
【００３２】
なお、申し送り事項記憶手段２１に記憶されるデータは、受診者データ２１ａ、検診データ２１ｂ、および申し送り事項データ２１ｃに限られるものではなく、申し送り事項に関連するさまざまなデータが全て記憶される。
【００３３】
申し送り事項記憶手段２１の記憶媒体としては、ファイル、あるいは、データベース管理システムなどのテーブルとして実現される。
【００３４】
申し送り取得手段２２は、申し送り事項記憶手段２１から、受診者毎の申し送り事項に関するデータである、受診者データ２１ａ、検診データ２１ｂ、および申し送り事項データ２１ｃを取得する。取得した申し送り事項に関するデータは、優先度判定手段２５に供給される。
【００３５】
受診者位置取得手段２３は、受診者がいる検診場所を決定し、決定した検診場所を受診者の位置情報として取得する。受診者の位置情報は、上述したように、システム上で入力される検診場所を特定するための情報、または、端末の設置位置情報などから決定される。取得した受診者の位置情報は、優先度判定手段２５に供給される。
【００３６】
優先度記憶手段２４には、管理者により予め設定入力された、検診場所に応じた申し送り事項の優先度の内容を表すデータが記憶されている。
【００３７】
図４は、優先度記憶手段２４に記憶されるデータのデータ構造例を示している。図４の例の場合、優先度記憶手段２４には、優先度データ２４ａが記憶されており、この優先度データ２４ａのテーブルには、申し送り事項、検診場所、および検診場所に応じて付加する優先度の値を格納する領域が設けられている。
【００３８】
申し送り事項の格納領域には、申請できる申し送り事項の情報として、「車椅子」、「寝台」、および「ステント」といった文字列が登録されるか、あるいは、申し送り事項識別記号が登録される。
【００３９】
検診場所の格納領域には、優先度を判定するための情報として、「採血室」、「Ｘ線室」、「検査室Ａ」、および「ＭＲ検査室」といった文字列が登録されるか、あるいは、検査位置識別記号が登録される。検査位置識別記号とは、例えば、１（検査室）、２（Ｘ線室）、３（検査室Ａ）、４（ＭＲ検査室）などである。
【００４０】
優先度は、その検診位置での申し送り事項の重要度を示す値であり、図４に示すように数字で登録されるか、あるいは文字列のまま登録される。文字列の場合、「高い」（優先度１）、「やや高い」（優先度２）、「低い」（優先度３）などである。
【００４１】
優先度記憶手段２４の記憶媒体としては、ファイル、あるいは、データベース管理システムなどのテーブルとして実現される。
【００４２】
優先度判定手段２５は、受診者位置取得手段２３から供給された受診者の位置情報に基づいて、優先度記憶手段２４に記憶されている優先度データ２４ａを取得する。優先度判定手段２５は、申し送り取得手段２２から供給された受診者データ２１ａ、検診データ２１ｂ、申し送り事項データ２１ｃ、および優先度記憶手段２４から取得した優先度データ２４ａに基づいて、優先度の高い順に並べ替えた申し送り事項を作成する。作成した申し送り事項のデータは、申し送り表示手段３０に供給される。
【００４３】
操作者資格記憶手段２６には、管理者により予め設定入力された、申し送り事項画面を操作する操作者の資格（立場）の内容を表すデータが記憶されている。すなわち、操作者の資格によって閲覧することのできる情報の範囲（申し送り情報の表示される範囲）が定められる。
【００４４】
図５は、操作者資格記憶手段２６に記憶されるデータのデータ構造例を示している。図５の例の場合、操作者資格記憶手段２６には、操作者資格データ２６ａが記憶されており、この操作者資格データ２６ａのテーブルには、操作者の資格の内容を表すデータを格納する領域が設けられている。
【００４５】
操作者の格納領域には、申し送り事項画面の操作者の情報として、「医師」、「看護師」、および「受診者」といった文字列が登録されるか、あるいは、操作者識別記号が登録される。操作者識別記号とは、例えば、１（医師）、２（看護師）、３（受診者）などである。
【００４６】
資格の格納領域には、申し送り情報が表示される範囲を定める情報として、図５に示すように数字で登録されるか、あるいは文字列のまま登録される。文字列の場合、「範囲Ａ」（資格１）、「範囲Ｂ」（資格２）、「範囲Ｃ」（資格３）などである。
【００４７】
操作者資格記憶手段２６の記憶媒体としては、ファイル、あるいは、データベース管理システムなどのテーブルとして実現される。
【００４８】
操作者資格判定手段２７は、操作者資格記憶手段２６に記憶されている操作者資格データ２６ａを取得する。取得した操作者資格データ２６ａは、申し送り表示手段３０に供給される。
【００４９】
ステータス記憶手段２８には、管理者により予め設定入力された、申し送り事項の優先度に応じてステータス機能を付加するか否かの内容を表すデータが記憶されている。
【００５０】
図６は、ステータス記憶手段２８に記憶されるデータのデータ構造例を示している。図６の例の場合、ステータス記憶手段２８には、ステータス判定値データ２８ａが記憶されており、このステータス判定値データ２８ａのテーブルには、優先度に付加するステータス判定値を格納する領域が設けられている。
【００５１】
優先度の格納領域には、優先度記憶手段２４で記憶された情報として、図６に示すように数字で登録されるか、あるいは文字列のまま登録される。ステータス判定値の格納領域には、ステータス機能を付加するか否かを定める情報として、図６に示すように数字で登録されるか、あるいは文字列のまま登録される。文字列の場合、「必要」（ステータス判定値１）、「不要」（ステータス判定値０）などである。
【００５２】
ステータス記憶手段２８の記憶媒体としては、ファイル、あるいは、データベース管理システムなどのテーブルとして実現される。
【００５３】
ステータス取得更新手段２９は、ステータス記憶手段２８に記憶されているステータス判定値データ２８ａを取得する。取得したステータス判定値データ２８ａは、申し送り表示手段３０に供給される。
【００５４】
申し送り表示手段３０は、優先度判定手段２５から供給された、優先度の高い順に並べ替えられた申し送り事項のデータ、操作者資格判定手段２７から供給された操作者資格データ２６ａ、および、ステータス取得更新手段２９から供給されたステータス判定値データ２８ａに基づいて、申し送り事項の確認を行うための画面を表示部９に表示させる。
【００５５】
図７は、申し送り表示手段３０により表示部９に表示される申し送り事項画面の表示例を示している。図７の例においては、画面４０に、患者ＩＤ、氏名、性別、生年月日、年齢、および入外区分の情報が表示されている。また画面４０の右方には、例えば、「採血室」における申し送り事項として、「車椅子」を表すアイコン４１ａ、「寝台」を表すアイコン４１ｂの順で表示されており、各アイコンの左側には、ステータス機能にチェックを入れることができるチェックボックス４２ａ，４２ｂが設けられている。画面４０の下方には、患者状態に関する情報を表示させる場合に選択されるボタン４３、次の検診を行う医師や看護師に申し送りをする場合に選択されるボタン４４が設けられている。
【００５６】
図８は、申し送り表示手段３０により表示部９に表示される他の申し送り事項画面の表示例を示している。なお、図７に示した表示例と基本的には同じであるが、図８の例においては、画面４０の右方に、例えば、「Ｘ線室」における申し送り事項として「寝台」を表すアイコン４１ｂ、「車椅子」を表すアイコン４１ａの順で表示されている。
【００５７】
すなわち、図７に示すように、「採血室」では「車椅子」が最も重要な申し送り事項とされ、図８に示すように、「Ｘ線室」では「寝台」が最も重要な申し送り事項とされ、検診場所に応じて申し送り事項の表示を変化させることができる。
【００５８】
申し送り表示手段３０は、操作者により画面に表示されている申し送り事項が確認され、チェックボックス４２ａ，４２ｂにチェックが入れられ、申し送りするためのボタン４４が選択されると、その操作に対する入力信号を、申し送り確認受付手段３１に供給する。
【００５９】
申し送り確認受付手段３１は、申し送り表示手段３０から供給された入力信号から、申し送り事項の確認が行われたこと（チェックボックス４２ａ，４２ｂにチェックが入れられたか否か）を受け付け、受付結果を画面操作制御手段３２に供給する。
【００６０】
画面操作制御手段３２は、申し送り確認受付手段３１から供給された受付結果に基づいて、検診支援装置１の画面操作を制御する。
【００６１】
例えば、図７に示した画面４０では、チェックボックス４２ａ，４２ｂにチェックが入れられており、「採血室」での申し送り事項が受け入れられたため、画面操作制御手段３２は、画面の操作が続行できるように制御する。
【００６２】
一方、図８に示した画面４０では、チェックボックス４２ｂにチェックが入れられておらず、「Ｘ線室」での申し送り事項である「車椅子」がまだ受け入れられていないため、画面操作制御手段３２は、画面の操作が続行できないように制御する。
【００６３】
次に、図９のフローチャートを参照して、受診者毎の申し送り事項の優先度を判定する処理について説明する。この処理を説明するにあたり、適宜、図１０の優先度判定までの流れの概念図を用いることにする。
【００６４】
ステップＳ１において、申し送り取得手段２２は、申し送り事項記憶手段２１に記憶されている検診データ２１ｂから受診者位置を取得する。図１０の例では、例えば、「採血室」が取得される。
【００６５】
ステップＳ２において、申し送り取得手段２２は、申し送り事項記憶手段２１に記憶されている申し送り事項データ２１ｃから申し送り事項を取得する。図１０の例では、例えば、「車椅子」が取得される。
【００６６】
ステップＳ３において、優先度判定手段２５は、優先度記憶手段２４に記憶されている優先度データ２４ａを取得する。図１０の例では、「採血室」における申し送り事項が「車椅子」の場合の優先度として「１」が取得される。
【００６７】
ステップＳ４において、優先度判定手段２５は、すべての申し送り事項の優先度を判定したか否かを判断し、まだ優先度を判定していない申し送り事項があると判断した場合、ステップＳ１に戻り上述した処理を繰り返す。
【００６８】
図１０の例の場合、続いて、「寝台」の申し送り事項が取得され（ステップＳ２）、「採血室」における申し送り事項が「寝台」の場合の優先度として「２」が取得される（ステップＳ３）。このような処理がすべての申し送り事項に対して行われることにより、引き続き、「Ｘ線室」における申し送り事項が「車椅子」の場合の優先度として「２」が取得され、「Ｘ線室」における申し送り事項が「寝台」の場合の優先度として「１」が取得される。
【００６９】
そして優先度判定手段２５は、ステップＳ４において、すべての申し送り事項の優先度を判定したと判断すると、ステップＳ５に進み、優先度を判定した申し送り事項を、優先度が高い順に並べ替える。
【００７０】
これにより、図１０に示すように、検診場所が「Ｘ線室」の場合、「寝台」、「車椅子」の順に並べ替えられた申し送り事項５０ａが作成され、検診場所が「採血室」の場合、「車椅子」、「寝台」の順に並べ替えられた申し送り事項５０ｂが作成される。
【００７１】
以上の処理により、受診者毎に、すべての申し送り事項に対して優先度を判定することができ、次に説明する申し事項を表示する処理によって、受診者がいる検診場所に応じた申し送り事項を表示させることができる。
【００７２】
次に、図１１のフローチャートを参照して、申し送り事項を表示する処理について説明する。この処理を説明するにあたり、適宜、図１２の優先度判定から申し送り表示までの流れの概念図を用いることにする。
【００７３】
ステップＳ１１において、申し送り表示手段３０は、操作者資格判定手段２７から操作者資格データ２６ａを取得する。図１２の例では、操作者資格データ２６ａから、操作者が医師である場合、「１」が取得され、操作者が看護師である場合、「２」が取得され、操作者が受診者である場合、「３」が取得される。
【００７４】
ステップＳ１２において、申し送り表示手段３０は、上述した図９の処理で優先度判定した申し送り事項を、優先度判定手段２５から取得する。図１２の例では、受診者の位置（検診場所）が「Ｘ線室」の場合、「寝台」と「車椅子」を含む申し送り事項５０ａが取得され、受診者の位置が「採血室」の場合、「車椅子」と「寝台」を含む申し送り事項５０ｂが取得される。
【００７５】
ステップＳ１３において、申し送り表示手段３０は、ステップＳ１２の処理で取得した申し送り事項を優先度の高い順に表示部９に表示させる。これにより、例えば、受診者が「採血室」にいる場合、図７に示す画面４０が表示され、画面４０の右方には、「採血室」における申し送り事項として、画面上から「車椅子」を表すアイコン４１ａ、「寝台」を表すアイコン４１ｂの順で表示される。
【００７６】
ステップＳ１４にデータおいて、申し送り表示手段３０は、ステータス取得更新手段２９からステータス判定値データ２８ａを取得する。図１２の例では、ステータス判定値データ２８ａに含まれる「寝台」の申し送り事項のステータス判定値として「１」が取得され、「車椅子」の申し送り事項のステータス判定値として「１」が取得され、「ステント」の申し送り事項のステータス判定値として「０」が取得される。
【００７７】
ステップＳ１５において、申し送り表示手段３０は、ステップＳ１４の処理で取得したステータス判定値から、申し送り事項にステータス機能を付加するか否かを判定し、ステータス機能を付加すると判定した場合ステップＳ１６に進む。図１２の例では、ステータス判定値が「１」である「車椅子」と「寝台」の申し送り事項がステータス機能の付加が必要であると判定される。
【００７８】
ステップＳ１６において、申し送り表示手段３０は、ステップＳ１５の処理でステータス機能の付加が必要であると判定した申し送り事項にステータス機能を付加して表示させる。これにより、例えば、図７に示す画面４０において、アイコン４１ａ，４１ｂの左側に、ステータス機能にチェックを入れることができるチェックボックス４２ａ，４２ｂが追加表示される。
【００７９】
これにより、操作者は、申し送り事項を確認したときにステータスにチェックを入れることができ、申し送り事項の見落としを防止することができる。また画面操作制御手段３２は、ステータスにチェックが入れられていないときには、次の操作を行うことができないように画面を制御する。
【００８０】
ステップＳ１５において、申し送り事項にステータス機能を付加する必要がないと判定された場合には、処理は終了される。
【００８１】
以上の処理により、受診者位置に応じてステータス判定値を考慮した申し送り事項を表示することができる。
【００８２】
以上のように、予め設定された優先度に従って、受診者がいる検診場所に応じた申し送り事項を確実に表示することができる。また、申し送り事項にステータス機能を付加し、ステータスにチェックが入れられていないときには、次の操作を行うことができないように制御することによって、申し送り事項の見落としを防止することができる。
【００８３】
以上において、申し送り表示手段３０は、図７および図８に示すような画面４０を表示させるものとして説明したが、これに限らず、例えば、図１３に示すように、操作者によりチェックボックス４２ｂにチェックが入れられたとき、申し送り事項を表すアイコン４１ｂが大きくなるようにしてもよい。これにより、操作者は、ステータスにチェックを入れたことを容易に確認することができる。なお、この表示方法は、アイコンの大きさを変えるだけでなく、例えば、背景色を変えるようにしたり、あるいは、アイコンを点滅させたりするようにしてもよい。また、図３ないし図６に示したデータ構造は、あくまでも例示に過ぎず、項目の取捨選択は自由に行うことができる。
【００８４】
以上のようにして、その検診場所で最も重要な申し送り事項を見落としてしまうことを防止することができる。
【００８５】
なおこの発明は、上記実施の形態そのままに限定されるものではなく、実施段階ではその要旨を逸脱しない範囲で構成要素を変形して具体化したり、上記実施の形態に開示されている複数の構成要素を適宜組み合わせたりすることにより種々の発明を形成できる。例えば、実施の形態に示される全構成要素から幾つかの構成要素を削除してもよい。さらに、異なる実施の形態に亘る構成要素を適宜組み合わせても良い。
【図面の簡単な説明】
【００８６】
【図１】本発明に係る検診支援装置の構成例を示す図である。
【図２】検診支援装置の機能構成例を示すブロック図である。
【図３】申し送り事項記憶手段に記憶されるデータのデータ構造例を示す図である。
【図４】優先度記憶手段に記憶されるデータのデータ構造例を示している。
【図５】操作者資格記憶手段に記憶されるデータのデータ構造例を示している。
【図６】ステータス記憶手段に記憶されるデータのデータ構造例を示している
【図７】申し送り事項画面の表示例を示す図である。
【図８】申し送り事項画面の他の表示例を示す図である。
【図９】申し送り事項の優先度を判定する処理を説明するフローチャートである。
【図１０】優先度判定までの流れの概念図である。
【図１１】申し送り事項を表示する処理を説明するフローチャートである。
【図１２】優先度判定から申し送り表示までの流れの概念図である。
【図１３】申し送り事項の表示例を示す図である。
【符号の説明】
【００８７】
１  検診支援装置
２  CPU
９  表示部
２１  申し送り事項記憶手段
２２  申し送り取得手段
２３  受診者位置取得手段
２４  優先度記憶手段
２５  優先度判定手段
２６  操作者資格記憶手段
２７  操作者資格判定手段
２８  ステータス記憶手段
２９  ステータス取得更新手段
３０  申し送り表示手段
３１  申し送り確認受付手段
３２  画面操作制御手段
【図１】
2010061270.tif 000003
【図２】
2010061270.tif 000004
【図３】
2010061270.tif 000005
【図４】
2010061270.tif 000006
【図５】
2010061270.tif 000007
【図６】
2010061270.tif 000008
【図７】
2010061270.tif 000009
【図８】
2010061270.tif 000010
【図９】
2010061270.tif 000011
【図１０】
2010061270.tif 000012
【図１１】
2010061270.tif 000013
【図１２】
2010061270.tif 000014
【図１３】
2010061270.tif 000015